(57)【要約】【課題】投射ユニットの連続投影時間を機器の状態に応じて適切に制限するプロジェクタ付きカメラを提供する。【解決手段】プロジェクタ付きカメラ１０は、光学像を投影する投射ユニット６０と、電池１０３の残量情報を検出する検出手段１０７と、検出手段１０７で検出された残量情報に基づいて投射ユニット６０の連続投影時間を制限する制御手段１０１とを備える。【選択図】図３
2008252479.tif 000002
【特許請求の範囲】
【請求項１】
光学像を投影する投射ユニットと、
電池の残量情報を検出する検出手段と、
前記検出手段で検出された残量情報に基づいて前記投射ユニットの連続投影時間を制限する制御手段とを備えることを特徴とするプロジェクタ付きカメラ。
【請求項２】
請求項１に記載のプロジェクタ付きカメラにおいて、
前記制御手段は、前記残量情報および前記投射ユニットによる投影輝度に基づいて前記投射ユニットの連続投影時間を制限することを特徴とするプロジェクタ付きカメラ。
【請求項３】
光学像を投影する投射ユニットと、
前記投射ユニットで発生する熱を示す情報に基づいて前記投射ユニットの連続投影時間を制限する制御手段とを備えることを特徴とするプロジェクタ付きカメラ。
【請求項４】
請求項３に記載のプロジェクタ付きカメラにおいて、
前記制御手段は、前記投射ユニットによる投影輝度に基づいて前記投射ユニットの連続投影時間を制限することを特徴とするプロジェクタ付きカメラ。
【請求項５】
請求項１〜４のいずれか一項に記載のプロジェクタ付きカメラにおいて、
前記連続投影時間は、前記投射ユニットが投影コンテンツを替えながら投影するスライドショー投影時間であることを特徴とするプロジェクタ付きカメラ。
【請求項６】
請求項５に記載のプロジェクタ付きカメラにおいて、
前記制御手段は、前記連続投影時間に応じて前記投影コンテンツの再生速度を変えるように前記投射ユニットをさらに制御することを特徴とするプロジェクタ付きカメラ。
【請求項７】
請求項５に記載のプロジェクタ付きカメラにおいて、
前記制御手段は、前記連続投影時間に応じて前記投影コンテンツの再生時間を延ばすように前記投射ユニットをさらに制御することを特徴とするプロジェクタ付きカメラ。
【請求項８】
請求項７に記載のプロジェクタ付きカメラにおいて、
前記制御手段は、前記投影コンテンツの再生時間を遅くする、または前記投影コンテンツを繰り返し投影するように前記投射ユニットを制御することを特徴とするプロジェクタ付きカメラ。
【請求項９】
請求項５に記載のプロジェクタ付きカメラにおいて、
前記制御手段は、前記連続投影時間に応じた前記投影コンテンツを選んで前記投射ユニットに投影させることを特徴とするプロジェクタ付きカメラ。
【請求項１０】
光学像を投影する投射ユニットと、
電池の残量情報を検出する検出手段と、
前記検出手段で検出された残量情報に基づいて前記投射ユニットの連続投影時間を制限する第１制御手段と、
前記投射ユニットで発生する熱を示す情報に基づいて前記投射ユニットの連続投影時間を制限する第２制御手段と、
前記第１制御手段による制限値および前記第２制御手段による制限値のいずれか一方を選択する選択手段とを備えることを特徴とするプロジェクタ付きカメラ。
【請求項１１】
請求項１０に記載のプロジェクタ付きカメラにおいて、
前記選択手段は、短い方の制限値を選択することを特徴とするプロジェクタ付きカメラ。
【発明の詳細な説明】
【技術分野】
【０００１】
本発明は、プロジェクタ付きカメラに関する。
【背景技術】
【０００２】
あらかじめ設定されている連続投影時間が経過すると、自動的に投影を終了する（オートパワーオフ）プロジェクタが知られている（特許文献１参照）。
【０００３】
【特許文献１】特開２００７−７４６５０号公報
【発明の開示】
【発明が解決しようとする課題】
【０００４】
従来技術では、たとえば電池駆動する場合の電池残量不足など、機器の状態によって投影できなくなる場合が考慮されていなかった。
【課題を解決するための手段】
【０００５】
（１）本発明によるプロジェクタ付きカメラは、光学像を投影する投射ユニットと、電池の残量情報を検出する検出手段と、検出手段で検出された残量情報に基づいて投射ユニットの連続投影時間を制限する制御手段とを備えることを特徴とする。
（２）請求項１に記載のプロジェクタ付きカメラにおいて、制御手段は、残量情報および投射ユニットによる投影輝度に基づいて投射ユニットの連続投影時間を制限するのが好ましい。
（３）請求項３に記載の発明によるプロジェクタ付きカメラは、光学像を投影する投射ユニットと、投射ユニットで発生する熱を示す情報に基づいて投射ユニットの連続投影時間を制限する制御手段とを備えることを特徴とする。
（４）請求項３に記載のプロジェクタ付きカメラにおいて、制御手段は、投射ユニットによる投影輝度に基づいて投射ユニットの連続投影時間を制限するのが好ましい。
（５）請求項１〜４のいずれか一項に記載のプロジェクタ付きカメラにおいて、連続投影時間は、投射ユニットが投影コンテンツを替えながら投影するスライドショー投影時間であってもよい。
（６）請求項５に記載のプロジェクタ付きカメラにおいて、制御手段は、連続投影時間に応じて投影コンテンツの再生速度を変えるように投射ユニットをさらに制御するのが好ましい。
（７）請求項５に記載のプロジェクタ付きカメラにおいて、制御手段は、連続投影時間に応じて投影コンテンツの再生時間を延ばすように投射ユニットをさらに制御するのが好ましい。
（８）請求項７に記載のプロジェクタ付きカメラにおいて、制御手段は、投影コンテンツの再生時間を遅くする、または投影コンテンツを繰り返し投影するように投射ユニットを制御するのが好ましい。
（９）請求項５に記載のプロジェクタ付きカメラにおいて、制御手段は、連続投影時間に応じた投影コンテンツを選んで投射ユニットに投影させるのが好ましい。
（１０）請求項１０に記載の発明によるプロジェクタ付きカメラは、光学像を投影する投射ユニットと、電池の残量情報を検出する検出手段と、検出手段で検出された残量情報に基づいて投射ユニットの連続投影時間を制限する第１制御手段と、投射ユニットで発生する熱を示す情報に基づいて投射ユニットの連続投影時間を制限する第２制御手段と、第１制御手段による制限値および第２制御手段による制限値のいずれか一方を選択する選択手段とを備えることを特徴とする。
（１１）請求項１０に記載のプロジェクタ付きカメラにおいて、選択手段は、短い方の制限値を選択するのが好ましい。
【発明の効果】
【０００６】
本発明によるプロジェクタ付きカメラでは、投射ユニットの連続投影時間を機器の状態に応じて適切に制限できる。
【発明を実施するための最良の形態】
【０００７】
以下、図面を参照して本発明を実施するための最良の形態について説明する。
≪電子カメラ≫
図１は、本発明の一実施の形態によるプロジェクタ付き電子カメラの正面図である。図１において、電子カメラ１０の前面には、撮影レンズ７１と、投影レンズ６１と、レーザ光源部１３と、フラッシュ光源部２１とが配設されている。電子カメラ１０の上面には、ズームスイッチ１１と、レリーズボタン１２と、プロジェクタボタン１４とが配設されている。レリーズボタン１２は、電子カメラ１０に撮影を指示するための操作部材である。ズームスイッチ１１は、電子カメラ１０にズームダウンまたはズームアップを指示するための操作部材である。プロジェクタボタン１４は、電子カメラ１０に投射を指示するための操作部材である。
【０００８】
図２は、図１の電子カメラの背面図である。図２において、電子カメラ１０の背面には、表示モニタ１０８と、切替ボタン１５と、モードボタン１６と、メニューボタン１７と、削除ボタン１８と、ＯＫボタン２０およびダイヤル１９とが設けられている。リング状に構成されたダイヤル１９は、回転操作に応じた回転操作信号と、押下操作に応じた押下位置信号とを発生する。ＯＫボタン２０の配設位置はダイヤル１９の中央部である。ダイヤル１９およびＯＫボタン２０は、電子カメラ１０に各種設定を指示するための操作部材である。
【０００９】
切替ボタン１５は、撮影を行う撮影モードと、撮影画像の再生表示を行う再生モードとの切替を電子カメラ１０に指示するための操作部材である。モードボタン１６は、メニューが並んだモード選択画面を液晶モニタ１０８に表示させるための操作部材である。メニューボタン１７は、メニュー選択画面を液晶モニタ１０８に表示させるための操作部材である。削除ボタン１８は、電子カメラ１０に画像ファイルの削除を指示するための操作部材である。
【００１０】
電子カメラ１０は、クレードル５０上に載置された状態でも使用可能である。電子カメラ１０は、クレードル５０との間で所定の通信を行う他、クレードル５０から電源供給を受けることも可能に構成されている。電子カメラ１０は、クレードル５０から供給された電流で電子カメラ１０内のバッテリー１０３（図３において後述）を充電したり、クレードル５０から供給された電流で電子カメラ１０を動作させたりする。
【００１１】
図３は、図１の電子カメラ１０の回路構成を説明するブロック図である。図３において、電子カメラ１０は、ＣＰＵ１０１と、メモリ１０２と、マイク１０５と、外部インターフェイス回路１０６と、電源回路１０７と、表示モニタ１０８と、操作部材１０９と、スピーカー１１０と、レーザ光源１３と、プロジェクタモジュール６０と、カメラモジュール７０とを備え、着脱自在のバッテリー１０３およびメモリカード１０４が実装されている。プロジェクタモジュール６０およびカメラモジュール７０は、図１に示すように、投影光学系（投影レンズ６１）の開口と撮影光学系（撮影レンズ７１）の開口とが共通の面に配設されている。
【００１２】
ＣＰＵ１０１は、制御プログラムに基づいて、電子カメラ１０を構成する各部から入力される信号を用いて所定の演算を行うなどして、電子カメラ１０の各部に対する制御信号を送出することにより、カメラ動作およびプロジェクタ動作をそれぞれ制御する。なお、制御プログラムはＣＰＵ１０１内の不図示の不揮発性メモリに格納されている。ＣＰＵ１０１はさらに、プロジェクタモジュール６０が投影する画像のデータに対する台形歪み補正（キーストン補正）を画像処理によって行う。
【００１３】
メモリ１０２はＣＰＵ１０１の作業用メモリとして使用される。メモリカード１０４は不揮発性メモリによって構成され、ＣＰＵ１０１の指示により、たとえば、カメラモジュール７０より出力される画像データや、外部インターフェイス回路１０６を介して外部から入力される映像・音声データなどのデータの書き込み、保存および読み出しが可能である。
【００１４】
マイク１０５は、集音した音声を電気信号に変換してＣＰＵ１０１へ送出する。音声信号は、録音時にメモリカード１０４に記録される。外部インターフェイス回路１０６は、ＣＰＵ１０１の指示により後述するクレードル、もしくはクレードルに接続されている外部機器との間でデータを送受信する。送受信するデータは、映像・音声データや、電子カメラ１０に対する制御信号である。外部インターフェイス回路１０６には、電源ラインも含まれている。
【００１５】
スピーカー１１０は、ＣＰＵ１０１から出力された音声信号による音声を再生する。操作部材１０９は、上述した操作ボタンなどを含み、各操作ボタンに対応する操作信号をＣＰＵ１０１へ送出する。
【００１６】
バッテリー１０３は充電可能な二次電池によって構成される。電源回路１０７はＤＣ／ＤＣ変換回路、充電回路、および電圧検出回路を含み、バッテリー１０３の電圧を電子カメラ１０内の各部で必要な電圧に変換する。電源回路１０７はさらに、バッテリー１０３の電圧が低く、残容量が低下している場合には外部インターフェイス回路１０６を介して供給される充電用電流でバッテリー１０３を充電する。
【００１７】
表示モニタ１０８は液晶表示パネルを有し、ＣＰＵ１０１の指示により画像やテキストなどの情報を表示する。レーザ光源部１３は、ＣＰＵ１０１からの指示に応じて、たとえば赤色の可視光線を電子カメラ１０の前方へ発する。レーザ光線部１３は光学系１３Ａおよび光学系１３Ａを光軸に対して直交する方向へ進退移動させる駆動機構（不図示）を有している。この駆動機構がＣＰＵ１０１からの指示によって光学系１３Ａを駆動することにより、レーザ光線部１３からの射出光がプロジェクタモジュール６０による投射範囲内のいずれの位置へも届く。すなわち、レーザ光線部１３はレーザポインタとして機能する。
【００１８】
フラッシュ光源部２１は、撮影モード時にＣＰＵ１０１からの指示に応じて所定光量の光を発する。また、後述するプロジェクタモジュール６０を使用の際にもＣＰＵ１０１からの指示に応じて所定光量の光を発する。
【００１９】
（カメラモジュール）
カメラモジュール７０は、撮影レンズ（撮影光学系）７１と、イメージセンサ７２と、レンズ駆動回路７３と、撮影制御回路７４とを含む。イメージセンサ７２としては、ＣＣＤやＣＭＯＳ撮像素子などが用いられる。撮影制御回路７４は、ＣＰＵ１０１からの指示によりイメージセンサ７２およびレンズ駆動回路７３を駆動制御するとともに、イメージセンサ７２から出力される撮像信号（蓄積電荷信号）に対して所定の画像処理を行う。画像処理は、ホワイトバランス処理やガンマ処理などである。
【００２０】
撮影レンズ７１は、イメージセンサ７２の撮像面上に被写体像を結像させる。撮影制御回路７４は、撮影開始指示に応じてイメージセンサ７２に撮像を開始させ、撮像終了後にイメージセンサ７２から蓄積電荷信号を読出し、上記画像処理を施した上で画像データとしてＣＰＵ１０１へ送出する。
【００２１】
レンズ駆動回路７３は、撮影制御回路７４から出力されるフォーカス調節信号に基づいて、撮影レンズ７１を構成するフォーカスレンズ（不図示）を光軸方向に進退駆動する。また、レンズ駆動回路７３は、撮影制御回路７４から出力されるズーム調節信号に基づいて、撮影レンズ７１を構成するズームレンズ（不図示）を光軸方向（テレ側もしくはワイド側）へ進退駆動する。フォーカス調節量およびズーム調節量は、ＣＰＵ１０１から撮影制御回路７４へ指示される。
【００２２】
（カメラのフォーカス調節）
カメラモジュール７０は、撮影レンズ７１を構成するフォーカスレンズを光軸方向にシフトすることにより、撮影レンズ７１のフォーカス調節を行う。オートフォーカス調節を行う場合のＣＰＵ１０１は、イメージセンサ７２で撮像された画像信号のうち、フォーカス検出エリア（たとえば撮影画面中央）に対応する画像信号についての高周波数成分の積算値（いわゆる焦点評価値）を最大にするように、フォーカス調節信号を撮影制御回路７４へ送る。焦点評価値を最大にするフォーカスレンズの位置は、イメージセンサ７２によって撮像される被写体像のエッジのボケをなくし、画像のコントラストを最大にする合焦位置である。
【００２３】
（カメラのズーム調節）
カメラモジュール７０は、撮影レンズ７１を構成するズームレンズを光軸方向にシフトすることにより、撮影レンズ７１の光学ズーム調節を行う。ＣＰＵ１０１は、操作部材１０９（ズームスイッチ１１）からのズーム操作信号に応じてズーム調節信号を撮影制御回路７４へ送る。
【００２４】
（プロジェクタモジュール）
プロジェクタモジュール６０は、投影レンズ（投影光学系）６１と、液晶パネル６２と、ＬＥＤ光源６３と、投射制御回路６４と、レンズ駆動回路６５とを含む。投射制御回路６４は、ＣＰＵ１０１から出力される投影指示に応じてＬＥＤ光源６３に駆動電流を供給する。ＬＥＤ光源６３は、供給された電流に応じた明るさで液晶パネル６２を照明する。
【００２５】
投射制御回路６４はさらに、ＣＰＵ１０１から送出される画像データに応じて液晶パネル駆動信号を生成し、生成した駆動信号で液晶パネル６２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源６３からの光を変調することにより、液晶パネル６２が光像を生成する。
【００２６】
投影レンズ６１は、液晶パネル６２から射出される光像をスクリーンなどへ向けて投影する。レンズ駆動回路６５は、投射制御回路６４から出力されるオフセット調節信号に基づいて、投影レンズ６１を光軸に対して直交する方向へ進退駆動する。また、レンズ駆動回路６５は、投射制御回路６４から出力されるフォーカス調節信号に基づいて、投影レンズ６１を構成するフォーカスレンズ（不図示）を光軸方向へ進退駆動する。レンズ駆動回路６５はさらに、投射制御回路６４から出力されるズーム調節信号に基づいて、投影レンズ６１を構成するズームレンズ（不図示）を光軸方向へ進退駆動する。オフセット調節量、フォーカス調節量およびズーム調節量は、ＣＰＵ１０１から投射制御回路６４へ指示される。
【００２７】
（投射像のオフセット）
投影レンズ６１が光軸と直交する向きにシフトされることにより、プロジェクタモジュール６０から射出される光束の射出方向が変化し、投射像がオフセットされる。投射像のオフセットは、投影レンズ６１をシフトさせて行う他にも、液晶パネル６２、ＬＥＤ光源６３を光軸に対して垂直方向にシフトさせて行う構成としてもよい。すなわち、投影レンズ６１と液晶パネル６２の相対的位置関係を光軸に垂直な方向に変化させることで、投射像のオフセットを実現できる。
【００２８】
（投射像のキーストン補正）
投影レンズ６１、液晶パネル６２、ＬＥＤ光源６３の一部を光軸に対して垂直方向にシフトさせる際には、そのシフト量に応じて投影するデータに対するキーストン補正を行う。投射像に上記オフセットを与えるだけでは投射像が台形状に変化するので、ＣＰＵ１０１は、投射像を台形状から長方形状に補正するために画像処理による電気的なキーストン補正を施す。ＣＰＵ１０１内のメモリには、あらかじめ投射像を方形状に補正するための初期補正値が記憶されている。ＣＰＵ１０１は、オフセット調節量に対応する初期補正値を読み出し、読み出した初期補正値を元に投影する像のデータに対するキーストン補正処理をメモリ１０２上で施し、キーストン補正処理後の画像データを投射制御回路６４へ送出する。
【００２９】
（投射像のフォーカス調節）
投影レンズ６１を構成するフォーカスレンズを光軸方向にシフトすることにより、プロジェクタモジュール６０は投射像のフォーカス調節を行う。ＣＰＵ１０１は、操作部材１０９からの操作信号に応じてフォーカス調節信号を投射制御回路６４へ送る。
【００３０】
（投射像のズーム調節）
投影レンズ６１を構成するズームレンズを光軸方向にシフトすることにより、プロジェクタモジュール６０は投射像のズーム調節を行う。ＣＰＵ１０１は、操作部材１０９からの操作信号に応じてズーム調節信号を投射制御回路６４へ送る。
【００３１】
（投影ソース：source）
プロジェクタモジュール６０は、ＣＰＵ１０１の指示により下記ソース１．〜ソース３．のいずれかによるコンテンツを投影および再生する。ＣＰＵ１０１は、操作部材１０９からソース切替え操作信号が入力されるごとに、投影画像をソース１．→２．→１．…の順に切替えるように、各画像に対応する画像データをプロジェクタモジュール６０へ送出する。
【００３２】
ソース１．メモリカード１０４から読出したデータによる再生画像
ソース２．外部インターフェイス回路１０６から入力されたデータによる再生画像
【００３３】
ＣＰＵ１０１は、上記ソース１．に対応する画像を投影する場合、記録日時が最も新しい（記録されている画像データの中で最後に撮影されたもの）画像データをメモリカード１０４から順に読出し、読出した画像データをプロジェクタモジュール６０へ送出する。また、上記コンテンツのデータとしてテキストデータが選択された場合は、テキスト画面を投影するためのデータをプロジェクタモジュール６０へ送出する。
【００３４】
≪クレードル≫
図４は、クレードル５０の回路構成を説明するブロック図である。図４において、クレードル５０には、ＣＰＵ５０１と、メモリ５０２と、操作部材５０３と、ハードディスクドライブ(HDD)５０４と、電源回路５０６と、検出スイッチ５０８と、プロジェクタインターフェース(I/F)回路５１０と、ステレオスピーカーシステム５０９と、外部インターフェイス(I/F)回路５０５とが備えられ、バッテリ５０７およびメモリカード５０８が装着されている。
【００３５】
コントローラであるＣＰＵ５０１は、制御プログラムに基づいて、クレードル５０を構成する各部から入力される信号を用いて所定の演算を行うなどして、クレードル５０の各部に対する制御信号を送出することにより、クレードル５０の動作を制御する。なお、制御プログラムはＣＰＵ５０１内の不図示の不揮発性メモリに格納されている。
【００３６】
メモリ５０２はＣＰＵ５０１の作業用メモリとして使用される。操作部材５０３は、各操作スイッチに対応する操作信号をＣＰＵ５０１へ送出する。
【００３７】
メモリカード５０８は、不揮発性メモリによって構成された記録媒体である。メモリカード５０８は、ＣＰＵ５０１からの指示によってそれぞれ個別に映像・音声データなどのデータの書き込み、保存および読み出しが可能である。
【００３８】
ハードディスクドライブ(HDD)５０４は、メモリカードに比べて大容量の記録装置である。ハードディスクドライブ(HDD)５０４は、ＣＰＵ５０１からの指示により映像・音声データなどのデータの書き込み、保存および読み出しが可能である。ハードディスクドライブ(HDD)５０４は、電子カメラ１０が投影した画像データをコピーして保存したり、電子カメラ１０が投影した画像データの履歴情報を保存したりすることも可能に構成される。
【００３９】
外部インターフェイス回路５０５は、ＣＰＵ５０１の指示によりパーソナルコンピュータ（ＰＣ）などの外部機器との間でデータを送受信する。送受信するデータは、電子カメラ１０から送信されるデータ、クレードル５０内に保存されているデータ、外部機器から送信されるデータ、および電子カメラ１０に対する制御信号などである。ステレオスピーカーシステム５０９は、ＣＰＵ５０１から出力される音声信号をステレオ再生する。ステレオスピーカー５０９は増幅回路を含み、各スピーカーの口径は電子カメラ１０側のスピーカー１１０に比べて大きく構成され、より高品位の再生が行える。
【００４０】
バッテリ５０７は充電可能な二次電池によって構成され、クレードル５０内の各部へ電力を供給する。電源回路５０６はＤＣ／ＤＣ変換回路、充電回路、および電圧検出回路を含み、バッテリ５０７の電圧をクレードル５０内の各部で必要な電圧に変換する。電源回路５０６はさらに、バッテリ５０７の電圧が低く、残容量が低下している場合には商用電源からＡＣ／ＤＣアダプタ５１０を介して供給される電流でバッテリー５０７を充電する。
【００４１】
電源回路５０６は、クレードル５０上に載置されている電子カメラ１０側へも電源供給を行うように構成されている。バッテリ５０７の容量は、電子カメラ１０側のバッテリー１０３の容量より大きく構成されており、クレードル５０に商用電源が接続されていない場合でも、バッテリ５０７の電力でクレードル５０および電子カメラ１０を駆動できる。
【００４２】
検出スイッチ５０８はクレードル５０上の機器載置部に電子カメラ１０が載置された場合にオンされ、検出信号をＣＰＵ５０１へ送出する。電子カメラ１０が機器載置部に載置されていない場合にはオフされ、検出信号は送出しない。
【００４３】
プロジェクタインターフェイス回路５１０は、ＣＰＵ５０１の指示により電子カメラ１０（外部インターフェイス回路１０６）との間でデータを送受信する。電子カメラ１０から送信されるデータは、映像・音声データなどである。電子カメラ１０へ送信するデータは電子カメラ１０に対する制御信号である。プロジェクタインターフェイス回路５１０には、電源ラインも含まれている。
【００４４】
本実施形態は、プロジェクタモジュール６０を使用する場合の動作に特徴を有するので、プロジェクタモジュール６０による投影を中心に説明する。電子カメラ１０は、プロジェクタボタン１４が押下操作されると、プロジェクタモジュール６０に投影を開始させる。投影中にプロジェクタボタン１４が押下操作されると、プロジェクタモジュール６０に投影を停止させる。電子カメラ１０はさらに、投影に関して以下の制御を行う。
【００４５】
１．連続投影時間
電子カメラ１０は、連続投影時間の上限を、たとえば１０分に制限する。電子カメラ１０は投影開始後１０分が経過した場合、プロジェクタボタン１４が押下操作されなくても自動的に投影を停止させる。この場合、制限時間の１分前になった場合（本例では投影開始から９分経過）、投影像に重ねて「まもなく１０分です」というメッセージを投影表示させる。電子カメラ１０は、制限時間の３０秒前になった場合（本例では投影開始から９分３０秒経過）、投影像に重ねて「あと３０秒です」というメッセージを投影表示させる。
【００４６】
電子カメラ１０はさらに、制限時間まで残り３０秒を切った場合に残り秒数をカウントダウンする表示を投影像に重ねて投影表示させる。電子カメラ１０は、制限時間に達するとプロジェクタモジュール６０に投影を終了させる。
【００４７】
制限時間に達したことによってプロジェクタモジュール６０による投影を終了させた電子カメラ１０は、投影終了時点から上記制限時間と同じ時間（本例では１０分）が経過するまでプロジェクタモジュール６０に投影を許可しない。もし、１０分経過前にプロジェクタボタン１４が押下操作された場合、電子カメラ１０は「冷却中です」というメッセージを液晶モニタ１０８へ所定時間（たとえば１０秒）表示させる。
【００４８】
制限時間は、バッテリ１０３の放電状態および電子カメラ１０内の発熱状態（放熱状態）の少なくとも一方を考慮して決定する。バッテリ１０３の放電状態に基づいて制限時間を算出する場合、バッテリ１０３の電圧と、プロジェクタモジュール６０の連続投影時間との関係を示すテーブルを参照して算出する。このテーブルは、バッテリ１０３の電圧値およびＬＥＤ光源６３に供給する電流値（投影輝度に対応）を引数として、連続投影時間を出力するものであり、あらかじめＣＰＵ１０１内に格納されている。また、バッテリ１０３を完全に使い切るのではなく、投影終了後もなお所定枚数（たとえば５枚）の撮影に必要な残容量を確保するようにテーブルが作られている。
【００４９】
電子カメラ１０内の発熱状態（放熱状態）に基づく熱モデルを用いて制限時間を算出する場合、ＬＥＤ光源６３に供給する電流値と、プロジェクタモジュール６０の連続投影時間との関係を示すテーブルを参照して算出する。このテーブルは、ＬＥＤ光源６３に供給する電流値（投影輝度に対応）を引数として、連続投影時間を出力するものであり、あらかじめＣＰＵ１０１内に格納されている。
【００５０】
なお、電子カメラ１０がバッテリ１０３の放電状態および電子カメラ１０内の発熱状態（放熱状態）の双方に基づいて制限時間を算出する場合には、上記２つの連続投影時間のうち、短い方の時間を採用する。上述した１０分は一例であり、使用するバッテリ１０３の容量、電子カメラ１０の放熱特性などに応じて適宜変更してかまわない。また、電子カメラ１０がクレードル５０から電力供給を受けている状態では、バッテリ１０３の残容量（電池電圧）にかかわらず、電子カメラ１０内の発熱状態（放熱状態）に基づいて連続投影時間を算出すればよい。
【００５１】
２．撮影用に電池残量を残す（態様１）
電子カメラ１０は、撮影用の電池残量を確保するようにプロジェクタモジュール６０を投影制御する。クレードル５０上に載置された電子カメラ１０がクレードル５０から電力供給を受けた状態でプロジェクタモジュール６０に投影を開始させた後に、電子カメラ１０にクレードル５０から電力が供給されなくなった場合、電子カメラ１０は、たとえば「接続を戻してください」というメッセージを投影像に重ねて投影表示させる。電子カメラ１０は３０秒のカウントダウンを開始し、「あと○○秒で終了します」というメッセージを投影表示させる。
【００５２】
もし、クレードル５０からの電力供給が復帰しなかった場合の電子カメラ１０は、カウント時間が３０秒に達するとプロジェクタモジュール６０に投影を終了させる。一方、クレードル５０からの電力供給が復帰した場合、または操作部材１０９から操作信号が入力された場合の電子カメラ１０は、メッセージの投影表示を消して投影を継続する。
【００５３】
３．撮影用に電池残量を残す（態様２）
電子カメラ１０は、撮影用の電池残量を確保するようにプロジェクタモジュール６０を投影制御する。クレードル５０上に載置された電子カメラ１０がクレードル５０から電力供給を受けた状態でプロジェクタモジュール６０に投影を開始させた後に、電子カメラ１０にクレードル５０から電力が供給されなくなった場合、電子カメラ１０は、バッテリ１０３の残容量（電池電圧）に基づいて、投影を継続できるか否かを判定する。具体的には、電子カメラ１０が単独で（クレードル５０からの電源供給なしで）上記（１）の制限時間まで投影を続行した場合に、投影終了後もなお所定枚数（たとえば５枚）の撮影に必要な残容量を確保できるのであれば投影継続可を判定する。投影継続可を判定した電子カメラ１０は、そのまま投影を継続し、上記制限時間に達したら自動的にプロジェクタモジュール６０に投影を停止させる。
【００５４】
一方、投影継続不可を判定した電子カメラ１０は、プロジェクタモジュール６０による投影光の輝度を下げる。電子カメラ１０が輝度を下げた状態で、単独で（外部からの電源供給なしで）上記（１）の制限時間まで投影を続行した場合に、投影終了後もなお所定枚数（たとえば５枚）の撮影に必要な残容量を確保できるのであれば投影を継続する。投影光の輝度を下げても上記制限時間まで投影を続行できない場合や、投影を続行すると所定枚数の撮影に必要な残容量を確保できない場合には、３０秒のカウントダウンを開始し、たとえば「あと○○秒で終了します」というメッセージを投影像に重ねて投影表示させる。
【００５５】
もし、クレードル５０からの電力供給が復帰しなかった場合の電子カメラ１０は、カウント時間が３０秒に達するとプロジェクタモジュール６０に投影を終了させる。なお、クレードル５０からの電力供給が復帰した場合の電子カメラ１０は、プロジェクタモジュール６０による投影光の輝度を元に戻し、メッセージの投影表示を消して投影を継続する。
【００５６】
４．輝度設定時に連続投影時間（制限時間）を報知する
電子カメラ１０は、液晶モニタ１０８に表示したメニュー選択画面においてプロジェクタモジュール６０による投影輝度の設定操作を受け付ける。電子カメラ１０は、設定された輝度およびバッテリ１０３の残容量（電池電圧）、電子カメラ１０内の発熱状態（放熱状態）に基づいて見込み連続投影時間を演算し、演算した投影時間を示す表示を液晶モニタ１０８に行う。演算方法は、上記（１）の制限時間と同様である。
【００５７】
投影光の輝度が高く設定された場合、ＬＥＤ光源６３に供給する電流値が大きくなるので、バッテリ１０３の残容量（電池電圧）の状態によっては演算済みの制限時間まで投影を継続できなくなるおそれが生じる。反対に、投影光の輝度が低く設定された場合、ＬＥＤ光源６３に供給する電流値が小さくなるので、輝度を高くする場合に比べてバッテリ１０３の残容量に余裕が生じる。電子カメラ１０は、設定輝度に応じて上記（１）の演算をし直し、液晶モニタ１０８上で投影時間を示す表示を行う（図９）ことにより、ユーザーに予想投影時間を知らせる。なお、電子カメラ１０がクレードル５０から電力供給を受けている状態では、バッテリ１０３の残容量（電池電圧）にかかわらず、電子カメラ１０内の発熱状態（放熱状態）に基づいて見込み連続投影時間を算出すればよい。
【００５８】
５．バッテリの残容量に応じて輝度を変える
電子カメラ１０は、投影するコンテンツの標準再生時間、または演算済みの制限時間まで投影を継続できるように、バッテリ１０３の残容量（電池電圧）および投影時間に基づいて輝度を演算し、演算した輝度で投影するようにプロジェクタモジュール６０へ指示を行う。
【００５９】
６．バッテリの残容量に応じて投影コンテンツを選ぶ
電子カメラ１０は、バッテリ１０３の残容量（電池電圧）、および設定された輝度に基づいて見込み連続投影時間を演算し、演算した投影時間内に最後まで再生が可能なコンテンツを自動的に選ぶ。コンテンツは、メモリカード１０４内のもの、および外部インターフェイス回路１０６から入力されるもののいずれでもよい。
【００６０】
７．バッテリの残容量に応じてコンテンツの再生速度を変える
電子カメラ１０は、バッテリ１０３の残容量（電池電圧）、および設定された輝度に基づいて見込み連続投影時間を演算し、演算した投影時間内に最後まで再生が終了するように、コンテンツの再生速度を自動的に変更する。具体的には、動画コンテンツの標準再生時間が見込み連続投影時間より長い場合、当該動画コンテンツの再生速度を速める。
【００６１】
８．所定の投影時間までコンテンツの再生を続ける
電子カメラ１０は、上記（１）の制限時間、またはあらかじめ指示された時間の間投影を続けるために、コンテンツの再生速度を自動的に変更する。具体的には、所定の投影時間に比べてコンテンツ数が少ない場合、コンテンツの再生時間を延ばす。再生時間を延ばす態様として、（イ）１コンテンツ当たりの再生速度を遅くして再生時間を長く延ばす態様と、（ロ）１コンテンツ当たりの再生時間は変えることなく、一連のコンテンツの再生を繰り返し行うことにより、全体の再生時間を長くする態様とが、選択可能に構成される。
【００６２】
上述したプロジェクタモジュール６０に関する制御について、スライドショー投影の場合を例に説明する。スライドショー投影では、再生コンテンツを替えながら投影を継続する。電子カメラ１０は、たとえば、図５に例示するスライドショーの設定メニュー画面を液晶モニタ１０８に表示させる。図５において、「自動再生」と「マニュアル再生」とが選択可能に構成されている。
【００６３】
電子カメラ１０が「自動再生」を選択した場合、図６に例示する設定画面を液晶モニタ１０８に表示させる。図６において、「自動再生」時の選択項目が選択可能に構成されている。スライドショーを「自動再生」で投影する電子カメラ１０は、たとえば、上記１、３、５〜８の投影制御をそれぞれ行う。このうち、上記５の投影制御は、図６において「時間」を優先するように設定された場合に行い、「輝度」を優先するように設定された場合には行わない。また、上記７の投影制御は、図６において「変速可」が設定された場合に行い、「変速不可」が設定された場合には行わない。
【００６４】
上記８の投影制御は、図６において「延ばす」が設定された場合に上記（イ）の制御を行い、図６において「繰り返す」が設定された場合には上記（ロ）の制御を行う。
【００６５】
「マニュアル再生」が選択された場合の電子カメラ１０は、たとえば、上記１、２、４の投影制御をそれぞれ行う。「マニュアル再生」時の設定内容は、図５のスライドショー設定メニュー画面において「マニュアル再生」が選択された場合に表示するメニュー画面（図７〜図１１に例示）を通して設定可能に構成されている。
【００６６】
電子カメラ１０は、図７に例示する設定画面により、「マニュアル再生」時の選択項目が選択可能に構成されている。「画像選択」は、再生コンテンツを選ぶためのメニューである。「画像選択」が選ばれた場合の電子カメラ１０は、図８に例示するコンテンツ選択画面を液晶モニタ１０８に表示させる。ユーザーは、表示画面のサムネイル画像を見ながら、画像のコンテンツを選ぶ。画像のコンテンツは、静止画像でも動画像でもよく、複数設定してもよい。
【００６７】
「輝度設定」（図７）は、投影輝度を指示するためのメニューである。「輝度設定」が選ばれた場合の電子カメラ１０は、図９に例示する輝度設定画面を液晶モニタ１０８に表示させる。電子カメラ１０は、輝度変更操作に応じて液晶モニタ１０８に表示する帯表示の長さを変化させる。電子カメラ１０はさらに、上記（４）の演算を行い、演算した投影時間を示す帯表示をさらに行う。通常、輝度が高く設定されると投影時間を示す帯表示は短くなり、輝度が低く設定されると投影時間を示す帯表示は長くなる。
【００６８】
電子カメラ１０は、クレードル５０から電力供給を受けている状態と、クレードル５０から電力供給を受けていない状態とで見込み連続投影時間の演算条件を異ならせる。クレードル５０から電力供給を受けている状態では、設定された輝度および電子カメラ１０内の発熱状態、放熱状態を考慮して見込み連続投影時間を演算する。一方、クレードル５０から電力供給を受けていない状態では、設定された輝度およびバッテリ１０３の残容量（電池電圧）に基づいて見込み連続投影時間を演算する。
【００６９】
「サウンド選択」は、再生コンテンツを選ぶためのメニューである。「サウンド選択」が選ばれた場合の電子カメラ１０は、図１０に例示するコンテンツ選択画面を液晶モニタ１０８に表示させる。ユーザーは、表示画面のファイル情報を見ながら、サウンドのコンテンツを選ぶ。
【００７０】
「音量設定」（図７）は、再生音量を指示するためのメニューである。「音量設定」が選ばれた場合の電子カメラ１０は、図１１に例示する音量設定画面を液晶モニタ１０８に表示させる。電子カメラ１０は、音量変更操作に応じて液晶モニタ１０８に表示する音量表示を変化させる。
【００７１】
以上の設定内容は、メニューボタン１７が押下操作されると確定し、ＣＰＵ１０１内の不図示の不揮発性メモリに格納される。電子カメラ１０は、プロジェクタボタン１４が押下操作されると、上記設定内容に基づいてプロジェクタモジュール６０に投影を開始させる。
【００７２】
以上説明した実施形態によれば、次の作用効果が得られる。
（１）バッテリ１０３の電圧に基づいてプロジェクタモジュール６０の連続投影時間を制限するので、たとえば、バッテリ１０３の残量がなくなる前に投影を終了させることができる。
【００７３】
（２）バッテリ１０３の電圧と、プロジェクタモジュール６０のＬＥＤ光源６３に供給する電流値（投影輝度に対応）とに基づいてプロジェクタモジュール６０の連続投影時間を制限するので、低輝度で投影している場合にも高輝度で投影している場合にも、バッテリ残量の面から適切に連続投影時間を求めることができる。
【００７４】
（３）プロジェクタモジュール６０で発する熱を示す情報（ＬＥＤ光源６３に供給する電流値）に基づいてプロジェクタモジュール６０の連続投影時間を制限するので、たとえば、所定の温度より高く温度上昇する前に投影を終了させることができる。
【００７５】
（４）プロジェクタモジュール６０のＬＥＤ光源６３に供給する電流値（投影輝度に対応）に基づいてプロジェクタモジュール６０の連続投影時間を制限するので、低輝度で投影している場合にも高輝度で投影している場合にも、温度上昇の面から適切に連続投影時間を求めることができる。
【００７６】
（５）上述した投影制限は、スライドショー投影の場合や、動画像の投影の場合に有効である。スライドショー投影などの長時間投影によるバッテリ１０３の過放電やプロジェクタモジュール６０の過熱を未然に防ぐことができる。
【００７７】
（６）バッテリ１０３の残容量（電池電圧）および電子カメラ１０内の発熱状態（設定された輝度）に基づいて見込み連続投影時間を演算し、あらかじめ液晶モニタ１０８に提示するようにした（図９）。これにより、ユーザーは、投影を開始させる見込み連続投影時間を確認することができる。
【００７８】
（７）電子カメラ１０がバッテリ１０３の放電状態および電子カメラ１０内の発熱状態（放熱状態）の双方に基づいて制限時間を算出する場合、算出される２つの連続投影時間のうち短い方の時間を選択したので、電子カメラ１０の状態に応じて適切に投影時間を制限することができる。
【００７９】
以上の説明はあくまで一例であり、上記の実施形態の構成に何ら限定されるものではない。
【図面の簡単な説明】
【００８０】
【図１】本発明の一実施の形態によるプロジェクタ付き電子カメラの正面図である。
【図２】図１の電子カメラの背面図である。
【図３】電子カメラの回路構成を説明するブロック図である。
【図４】クレードルの回路構成を説明するブロック図である。
【図５】設定メニュー画面を例示する図である。
【図６】設定メニュー画面を例示する図である。
【図７】設定メニュー画面を例示する図である。
【図８】設定メニュー画面を例示する図である。
【図９】設定メニュー画面を例示する図である。
【図１０】設定メニュー画面を例示する図である。
【図１１】設定メニュー画面を例示する図である。
【符号の説明】
【００８１】
１０…電子カメラ
６０…プロジェクタモジュール
７０…カメラモジュール７０
１０１…ＣＰＵ
１０３…バッテリ
１０７…電源回路
１０８…表示モニタ
【図１】
2008252479.tif 000003
【図２】
2008252479.tif 000004
【図３】
2008252479.tif 000005
【図４】
2008252479.tif 000006
【図５】
2008252479.tif 000007
【図６】
2008252479.tif 000008
【図７】
2008252479.tif 000009
【図８】
2008252479.tif 000010
【図９】
2008252479.tif 000011
【図１０】
2008252479.tif 000012
【図１１】
2008252479.tif 000013